【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  静電潜像が形成される感光体を備えた感光体ユニットと、前記感光体を露光する露光ヘッドを備えた露光ユニットと、前記露光ユニットを所定の方向に変位可能に支持するガイド部、および前記露光ユニットに当接してこれを所定位置に位置決めした状態の前記感光体ユニットを着脱可能に固定する固定部が形成されたユニット取付部材とを有することを特徴とする画像形成装置。
【請求項２】  静電潜像が形成される感光体を備えた感光体ユニットと、前記感光体を露光する露光ヘッドを備えた露光ユニットと、露光された前記感光体に現像剤を供給して前記静電潜像をトナー像にする現像手段を備えた現像ユニットと、前記露光ユニットを所定の方向に変位可能に支持する第１のガイド部、前記現像ユニットを所定の方向に変位可能に支持する第２のガイド部、および前記露光ユニット並びに前記現像ユニットに当接してこれらを所定位置に位置決めした状態の前記感光体ユニットを着脱可能に固定する固定部が形成されたユニット取付部材とを有することを特徴とする画像形成装置。
【請求項３】  前記露光ユニット、前記現像ユニット、前記感光体ユニットおよび前記ユニット取付部材は、現像色に対応して複数設けられていることを特徴とする請求項１または２記載の画像形成装置。
【請求項４】  複数の前記ユニット取付部材が固定された取付部材固定フレームが設けられていることを特徴とする請求項３記載の画像形成装置。
【請求項５】  複数の前記感光体ユニットを変位自在に保持する感光体保持フレームが設けられ、それぞれの前記感光体ユニットは前記感光体保持フレームを介して一括して前記ユニット取付部材に固定されることを特徴とする請求項３または４記載の画像形成装置。
【請求項６】  現像色に対応して複数設けられ、静電潜像が形成される感光体を備えた感光体ユニットと、現像色に対応して複数設けられ、前記感光体を露光する露光ヘッドを備えた露光ユニットと、変位可能に設けられ、複数の前記感光体ユニットが相互に位置決め固定された感光体固定フレームと、前記露光ユニットを所定の方向に変位可能に支持するガイド部が形成された複数のユニット取付部材と、前記感光体ユニットが前記露光ユニットに当接してこれを前記ユニット取付部材の所定位置に位置決めした状態で前記感光体固定フレームを着脱可能に固定する固定部材とを有することを特徴とする画像形成装置。
【請求項７】  現像色に対応して複数設けられ、静電潜像が形成される感光体を備えた感光体ユニットと、現像色に対応して複数設けられ、前記感光体を露光する露光ヘッドを備えた露光ユニットと、現像色に対応して複数設けられ、露光された前記感光体に現像剤を供給して前記静電潜像をトナー像にする現像手段を備えた現像ユニットと、変位可能に
設けられ、複数の前記感光体ユニットが相互に位置決め固定された感光体固定フレームと、前記露光ユニットを所定の方向に変位可能に支持する第１のガイド部および現像ユニットを所定の方向に変位可能に支持する第２のガイド部が形成された複数のユニット取付部材と、前記感光体ユニットが前記露光ユニットおよび前記現像ユニットに当接してこれらを前記ユニット取付部材の所定位置に位置決めした状態で前記感光体固定フレームを着脱可能に固定する固定部材とを有することを特徴とする画像形成装置。
【請求項８】  前記ユニット取付部材に取り付けられた前記露光ヘッドおよび前記現像手段は、前記露光ユニットと前記現像ユニットとの配列方向の寸法が前記感光体の外径よりも小さいことを特徴とする請求項１〜７の何れか一項に記載の画像形成装置。
【請求項９】  前記ユニット取付部材には、前記感光体ユニットが当接した前記露光ユニットにより弾性変形する弾性部材が設けられていることを特徴とする請求項１〜８の何れか一項に記載の画像形成装置。
【請求項１０】  前記ユニット取付部材には、前記感光体ユニットが当接した前記現像ユニットにより弾性変形する弾性部材が設けられていることを特徴とする請求項２〜９の何れか一項に記載の画像形成装置。
【請求項１１】  前記露光ユニットの両端には、前記感光体と当接して前記露光ヘッドと前記感光体との距離を一定に保つ間隔設定部材が設けられていることを特徴とする請求項１〜１０の何れか一項に記載の画像形成装置。
【請求項１２】  少なくとも感光体を備えた感光体ユニットと、前記感光体を露光して潜像を形成する露光ヘッドと、前記露光ヘッドを所定の方向に変位可能に支持するガイド部とを有し、前記感光体ユニットの装着によって、前記感光体と前記露光ヘッドの位置関係が固定されるように構成したことを特徴とする画像形成装置。
【請求項１３】  少なくとも感光体を備えた感光体ユニットと、前記感光体を露光して潜像を形成する露光ヘッドと、少なくとも前記潜像を現像する現像手段を含む現像ユニットと、前記露光ヘッドを所定の方向に変位可能に支持する第1のガイド部と、前記現像ユニットを所定の方向に支持する第２のガイド部とを有し、前記感光体ユニットの装着によって、前記感光体と前記露光ヘッドとの位置関係、および前記感光体と前記現像手段との位置関係が固定されるように構成したことを特徴とする画像形成装置。
【請求項１４】  前記第１のガイド部および前記第２のガイド部を一体に構成したユニット取付部材を有することを特徴とする請求項１３記載の画像形成装置。
【手続補正２】
【補正対象書類名】明細書
【補正対象項目名】００１４
【補正方法】変更
【補正の内容】
【００１４】
【発明の実施の形態】
本発明の請求項１に記載の発明は、静電潜像が形成される感光体を備えた感光体ユニットと、感光体を露光する露光ヘッドを備えた露光ユニットと、露光ユニットを所定の方向に変位可能に支持するガイド部、および露光ユニットに当接してこれを所定位置に位置決めした状態の感光体ユニットを着脱可能に固定する固定部が形成されたユニット取付部材とを有する画像形成装置であり、露光ユニットおよび感光体ユニットが共通のユニット取付部材に取り付けられるようになっており、さらにユニット取付部材に固定された感光体ユニットにより露光ユニットが所定位置に位置決めされるようになっているので、各ユニット相互間の位置決めを簡易な構造で行うことが可能になるという作用を有する。
【手続補正３】
【補正対象書類名】明細書
【補正対象項目名】００１５
【補正方法】変更
【補正の内容】
【００１５】
本発明の請求項２に記載の発明は、静電潜像が形成される感光体を備えた感光体ユニットと、感光体を露光する露光ヘッドを備えた露光ユニットと、露光された感光体に現像剤を供給して静電潜像をトナー像にする現像手段を備えた現像ユニットと、露光ユニットを所定の方向に変位可能に支持する第１のガイド部、現像ユニットを所定の方向に変位可能に支持する第２のガイド部、および露光ユニット並びに現像ユニットに当接してこれらを所定位置に位置決めした状態の感光体ユニットを着脱可能に固定する固定部が形成されたユニット取付部材とを有する画像形成装置であり、現像ユニット、露光ユニットおよび感光体ユニットが共通のユニット取付部材に取り付けられるようになっており、さらにユニット取付部材に固定された感光体ユニットにより現像ユニットおよび露光ユニットが所定位置に位置決めされるようになっているので、各ユニット相互間の位置決めを簡易な構造で行うことが可能になるという作用を有する。
【手続補正４】
【補正対象書類名】明細書
【補正対象項目名】００１９
【補正方法】変更
【補正の内容】
【００１９】
本発明の請求項６に記載の発明は、現像色に対応して複数設けられ、静電潜像が形成される感光体を備えた感光体ユニットと、現像色に対応して複数設けられ、感光体を露光する露光ヘッドを備えた露光ユニットと、変位可能に設けられ、複数の感光体ユニットが相互に位置決め固定された感光体固定フレームと、露光ユニットを所定の方向に変位可能に支持するガイド部が形成された複数のユニット取付部材と、感光体ユニットが露光ユニットに当接してこれをユニット取付部材の所定位置に位置決めした状態で感光体固定フレームを着脱可能に固定する固定部材とを有する画像形成装置であり、各ユニット相互間の位置決めを簡易な構造で行うことが可能になるという作用を有する。
【手続補正５】
【補正対象書類名】明細書
【補正対象項目名】００２０
【補正方法】変更
【補正の内容】
【００２０】
本発明の請求項７に記載の発明は、現像色に対応して複数設けられ、静電潜像が形成される感光体を備えた感光体ユニットと、現像色に対応して複数設けられ、感光体を露光する露光ヘッドを備えた露光ユニットと、現像色に対応して複数設けられ、露光された感光体に現像剤を供給して静電潜像をトナー像にする現像手段を備えた現像ユニットと、変位可能に設けられ、複数の感光体ユニットが相互に位置決め固定された感光体固定フレームと、露光ユニットを所定の方向に変位可能に支持する第１のガイド部および現像ユニットを所定の方向に変位可能に支持する第２のガイド部が形成された複数のユニット取付部材と、感光体ユニットが露光ユニットおよび現像ユニットに当接してこれらをユニット取付部材の所定位置に位置決めした状態で感光体固定フレームを着脱可能に固定する固定部材とを有する画像形成装置であり、各ユニット相互間の位置決めを簡易な構造で行うことが可能になるという作用を有する。
【手続補正６】
【補正対象書類名】明細書
【補正対象項目名】００２４
【補正方法】変更
【補正の内容】
【００２４】
本発明の請求項１１に記載の発明は、請求項１〜１０の何れか一項に記載の発明におい
て、露光ユニットの両端には、感光体と当接して露光ヘッドと感光体との距離を一定に保つ間隔設定部材が設けられている画像形成装置であり、各ユニット相互間の位置決めを簡易な構造で行うことが可能になるという作用を有する。
本発明の請求項１２に記載の発明は、少なくとも感光体を備えた感光体ユニットと、感光体を露光して潜像を形成する露光ヘッドと、露光ヘッドを所定の方向に変位可能に支持するガイド部とを有し、感光体ユニットの装着によって、感光体と露光ヘッドの位置関係が固定されるように構成した画像形成装置であり、感光体ユニットの装着に伴って露光ヘッドはガイド部によって位置決めされるべき部位に案内されるため、各ユニット相互間の位置決めを簡易な構造で精度よく行うことが可能になるという作用を有する。
本発明の請求項１３に記載の発明は、少なくとも感光体を備えた感光体ユニットと、感光体を露光して潜像を形成する露光ヘッドと、少なくとも潜像を現像する現像手段を含む現像ユニットと、露光ヘッドを所定の方向に変位可能に支持する第1のガイド部と、現像ユニットを所定の方向に支持する第２のガイド部とを有し、感光体ユニットの装着によって、感光体と露光ヘッドとの位置関係、および感光体と現像手段との位置関係が固定されるように構成した画像形成装置であり、感光体ユニットの装着に伴って露光ヘッドと現像ユニットはそれぞれに対応したガイド部によって位置決めされるべき部位に案内されるため、各ユニット相互間の位置決めを簡易な構成で精度よく行なうことが可能になるという作用を有する。
本発明の請求項１４に記載の発明は、請求項１３に記載の発明において第１のガイド部および第２のガイド部を一体に構成したユニット取付部材を有する画像形成装置であり、ガイド部を一体的に構成することで、ユニット取付部材に装着される各ユニットの位置精度を高めることができる。